(57)【要約】      （修正有） 【課題】カバー体をケース枠に固定すれば、カバー体がケース枠から離れることなく、経年使用に充分耐え、しかも組み付け作業を容易とした新規な印鑑ケースを提供する。【解決手段】一対の矩形枠状からなるケース枠１，１の長辺部２，２同士をヒンジ連結３してあり、各ケース枠１，１にカバー体４，４を固定して開閉自在とし、留金５，５により閉じるようにした印鑑ケースであって、上記ケース枠１，１の長辺部２，２を断面Ｌ字形状に形成し、この長辺部２，２の内側に係止突片７，７を設けてあり、一方のカバー体４，４の側縁の上記長辺部２，２の係止突片７，７と対応する位置に係止凹部８，８を設け、長辺部２，２の係止突片７，７とカバー体４，４の係止凹部８，８とを係合させて、カバー体４，４をケース枠１，１に固定してある。【選択図】図３
0003132533.tif 000002
【実用新案登録請求の範囲】
【請求項１】
一対の矩形枠状からなるケース枠の長辺部同士をヒンジ連結してあり、各ケース枠にカバー体を固定して開閉自在とし留金により閉じるようにした印鑑ケースであって、上記ケース枠の長辺部を断面Ｌ字形状に形成し、この長辺部の内側に係止突片を設けてあり、一方のカバー体の側縁の上記長辺部の係止突片と対応する位置に係止凹部を設け、長辺部の係止突片とカバー体の係止凹部とを係合させて、カバー体をケース枠に固定してある印鑑ケース。
【請求項２】
カバー体の側縁の係止凹部位置に傾斜案内を設けてある上記請求項１に記載の印鑑ケース。
【請求項３】
上記長辺部の係止突片を離れた位置に２個設けてあり、カバー体の側縁の係止凹部も離れた位置に２個形成してある上記請求項１又は２に記載の印鑑ケース。
【考案の詳細な説明】
【技術分野】
【０００１】
本考案は、印鑑を収納する印鑑ケースに関する。
【背景技術】
【０００２】
一対の矩形枠状からなるケース枠の長辺部同士をヒンジ連結してあり、各ケース枠にカバー体を固定して開閉自在とし、留金により閉じるようにした印鑑ケースは公知である。
【考案の開示】
【考案が解決しようとする課題】
【０００３】
従前公知のこの印鑑ケースは、カバー体の縁をケース枠に糊付け固定していたため、経年使用しているうちに糊付けが弱くなってカバー体がケース枠から離れてしまうという課題があった。
本考案は上記課題に鑑み、カバー体をケース枠に固定すれば、カバー体がケース枠から離れてしまうようなことなく、経年使用に充分耐え得る新規な印鑑ケースを提供することを目的とし、しかも組み付け作業を容易とした印鑑ケースを提供するものである。
【課題を解決するための手段】
【０００４】
そのため本考案印鑑ケースは、一対の矩形枠状からなるケース枠の長辺部同士をヒンジ連結してあり、各ケース枠にカバー体を固定して開閉自在とし、留金により閉じるようにした印鑑ケースであって、上記ケース枠の長辺部を断面Ｌ字形状に形成し、この長辺部の内側に係止突片を設けてあり、一方のカバー体の側縁の上記長辺部の係止突片と対応する位置に係止凹部を設け、長辺部の係止突片とカバー体の係止凹部とを係合させて、カバー体をケース枠に固定してある。
【０００５】
本考案印鑑ケースは、カバー体の側縁の係止凹部位置に傾斜案内を設けてあるとよい。
本考案印鑑ケースは、上記長辺部の係止突片を離れた位置に２個設けてあり、カバー体の側縁の係止凹部も離れた位置に２個形成してある。
【考案の効果】
【０００６】
本考案の印鑑ケースは、一対の矩形枠状からなるケース枠の長辺部同士をヒンジ連結してあり、各ケース枠にカバー体を固定して開閉自在とし、留金により閉じるようにした印鑑ケースであって、上記ケース枠の長辺部を断面Ｌ字形状に形成し、この長辺部の内側に係止突片を設けてあり、一方のカバー体の側縁の上記長辺部の係止突片と対応する位置に係止凹部を設け、長辺部の係止突片とカバー体の係止凹部とを係合させて、カバー体をケース枠に固定してあるから、ケース枠とカバー体との固定が強固であり、カバー体がケース枠から分離してしまうようなことなく、経年的に使用できる効果がある。
【０００７】
また、本考案印鑑ケースは、カバー体の側縁の係止凹部位置に傾斜案内を設けてあるから、ケース枠にカバー体を組み付ける際、カバー体の傾斜案内部にケー枠の係止突片をあてがいカバー体をケース枠に押し込めば、容易な組み付け作業でカバー体をケース枠に組み付けできる効果がある。
さらに、本考案印鑑ケースは、上記長辺部の係止突片を離れた位置に２個設けてあり、カバー体の側縁の係止凹部も離れた位置に２個形成してあるから、カバー体をケース枠に安定して組み付けできる効果がある。
【考案を実施するための最良の形態】
【０００８】
図示した好ましい実施例により本考案の詳細を説明する。
図中符号１，１が一対の矩形枠状からなるケース枠で、金属で形成してあり、その長辺部２，２同士をヒンジ連結３してあり、両ケース枠１，１にカバー体４，４を固定して開閉自在にして印鑑ケースを構成してあり、止金により閉じるようにしてある。
【０００９】
本考案では、上記ケース枠１，１の長辺部２，２と短辺部６，６を断面Ｌ字形状に形成してあり、このＬ字形状の上面をケース枠１，１の上面にし、このＬ字形状の垂下面をケース枠１，１の外側面をケース枠１，１の外側面にしてある。本考案では、ケース枠１，１の長辺部２，２の内側に係止突片７，７を内向きに設けてある。この長辺部２，２はヒンジ連結３側の長辺部２と、外側の長辺部２とがあり、何れの長辺部２にも内向きの係止突片７，７を設けてある。この長辺部２，２に設けた係止突片７，７はそれぞれ２個づつ設けてあり、互いの係止突片７，７を離れた位置に配置してある。
【００１０】
カバー体４，４は、図に示すように公知のカバー体と同様断面半円状に形成してあり、内側面を柔軟な布地で構成し、外側部本体を比較的硬質の合成樹脂材により構成してある。本考案では、このカバー体４の側縁の上記長辺部２の係止突片７，７と対応する位置に係止凹部８，８を設けてあり、この係止凹部８，８と長辺部２の係止突片７，７とを係合させてカバー体４，４をケース枠１，１に固定してある。カバー体４，４の側縁の係止凹部８，８位置には上記係止突片７，７を案内する傾斜案内部９，９を設けてある。
【００１１】
上記の通りの構成からなる本考案印鑑ケースを組み付けるには、それぞれのカバー体４，４をケース枠１，１に押し込み固定するが、この押し込み作業の際、カバー体４の側縁の傾斜案内部９，９をケース枠１の長辺部２，２の係止突片７，７にあてがい、カバー体４，４をケース枠１に容易に組み付けることができる。そして、ケース枠１の長辺部２の２個の係止突片７，７を離れた位置に位置付けてあるから、カバー体４がケース枠１に組み込まれた際、安定した状態を維持できる。
【図面の簡単な説明】
【００１２】
【図１】本考案印鑑ケースの開放状態の斜視図。
【図２】図１上Ａ−Ａ線部分の断面図。
【図３】本考案印鑑ケースの開放状態の分解斜視図。
【図４】図３上Ｂ−Ｂ線部分の断面図。
【符号の説明】
【００１３】
１  ケース枠
２  長辺部
３  ヒンジ連結
４  カバー体
５  留金
６  短辺部
７  係止突片
８  係止凹部
９   傾斜案内部
【図１】
0003132533.tif 000003
【図２】
0003132533.tif 000004
【図３】
0003132533.tif 000005
【図４】
0003132533.tif 000006